(57)【要約】【課題】出力信号のダイナミックレンジを適切に変換することができる。【解決手段】情報取得部は、HDMIインタフェースからの出力デバイスの検出の通知を受け取ると、出力デバイスから出力デバイス情報を取得するようにHDMIインタフェースを制御する。機器種別判定部は、HDMIインタフェースからの出力デバイス情報に基づいて、接続されている出力デバイスの種別、能力などを判定し、判定結果に基づいて、ダイナミックレンジ変換部を制御する。本開示は、例えば、信号を出力する信号出力システムに適用することができる。【選択図】図２
2018074226.tif 000002
【特許請求の範囲】
【請求項１】
接続された出力デバイスに関する情報である出力デバイス情報に基づき判別される出力用途が表示以外の場合、前記出力デバイスに出力する画像信号の変換を禁止する変換部と、
前記出力デバイスに信号を送信する送信部と
を備える信号処理装置。
【請求項２】
前記出力デバイス情報に基づき判別される出力用途が表示の場合、
前記変換部は、前記出力デバイスの能力に応じて、前記画像信号の変換を行う
請求項１に記載の信号処理装置。
【請求項３】
前記出力デバイス情報は、前記出力デバイスのメーカ、モデルネーム、およびシリアルナンバの少なくとも１つである
請求項１に記載の信号処理装置。
【請求項４】
前記出力デバイスに出力する信号がHDR信号の場合、前記出力デバイスの能力がHDR信号に対応するとき、前記送信部は、規格に定められた制御信号を送ってから、前記画像信号を送信する
請求項１に記載の信号処理装置。
【請求項５】
前記規格に定められた制御信号は、InfoFrameである
請求項４に記載の信号処理装置。
【請求項６】
前記出力デバイスに出力する信号がHDR信号の場合、前記出力デバイスの能力がSDR信号に対応するとき、前記送信部は、前記規格に定められた制御信号を送らずに、前記画像信号を送信する
請求項４に記載の信号処理装置。
【請求項７】
前記信号処理装置が撮像装置である場合、再生中のとき、前記出力デバイス情報に基づき判別される出力用途は表示とされ、録画中のとき、前記出力デバイス情報に基づき判別される出力用途は表示以外とされる
請求項１に記載の信号処理装置。
【請求項８】
前記変換部は、HDR信号をSDR信号に変換する
請求項１に記載の信号処理装置。
【請求項９】
前記変換部は、SDR信号をHDR信号に変換する
請求項１に記載の信号処理装置。
【請求項１０】
前記変換部は、HLG（Hybrid Log-Gamma）信号をPQ信号に変換する
請求項１に記載の信号処理装置。
【請求項１１】
前記出力デバイスとの接続は、HDMIが用いられる
請求項１に記載の信号処理装置。
【請求項１２】
前記出力デバイスとの接続は、SDIが用いられる
請求項１に記載の信号処理装置。
【請求項１３】
前記出力デバイスとの接続は、DLNAが用いられる
請求項１に記載の信号処理装置。
【請求項１４】
前記出力デバイスとの接続は、無線接続が用いられる
請求項１に記載の信号処理装置。
【請求項１５】
前記出力デバイスは、ディスプレイである
請求項１に記載の信号処理装置。
【請求項１６】
前記出力デバイスは、記録装置である
請求項１に記載の信号処理装置。
【請求項１７】
前記出力デバイスは、測定装置である
請求項１に記載の信号処理装置。
【請求項１８】
信号処理装置が、
接続された出力デバイスに関する情報である出力デバイス情報に基づき判別される出力用途が表示以外の場合、前記出力デバイスに出力する画像信号の変換を禁止し、
前記出力デバイスに信号を送信する
信号処理方法。
【請求項１９】
接続された出力デバイスに関する情報である出力デバイス情報に基づき判別される出力用途が表示以外の場合、前記出力デバイスに出力する画像信号の変換を禁止する変換部と、
前記出力デバイスに信号を送信する送信部と
して、コンピュータを機能させるプログラム。
【発明の詳細な説明】
【技術分野】
【０００１】
本開示は、信号処理装置および方法、並びにプログラムに関し、特に、出力画像信号のダイナミックレンジを適切に変換することができるようにした信号処理装置および方法、並びにプログラムに関する。
【背景技術】
【０００２】
ディスプレイ機器の表示能力が向上し、従来の機器に比べて、より明るい色やより暗い色の表示ができるようになりつつある。このディスプレイの進化を活かすための画像信号として、ハイダイナミックレンジ信号（HDR信号）の規格が複数策定されてきている。こういった新たな規格が策定されることで、様々なダイナミックレンジを想定した信号が扱われるようになってきている。
【０００３】
一方で、HDR信号に対応しないディスプレイ機器（SDR機器）に、HDR信号を入力すると、表示が暗くなってしまい好ましくない。そこで、過去のディスプレイ機器との互換性を持たせるために、映像出力装置が出力先機器の性能を調べて、その表示性能に合わせて、画像信号のダイナミックレンジを変換して出力することが一般的に行われている（特許文献１参照）。
【先行技術文献】
【特許文献】
【０００４】
【特許文献１】特開２０１５−８３６１号公報
【発明の概要】
【発明が解決しようとする課題】
【０００５】
ところが、映像出力装置の出力先として、ディスプレイ機器以外の機器（以下、非ディスプレイ機器と称する）が接続される場合がある。非ディスプレイ機器に出力する場合にダイナミックレンジの変換処理をしてしまうと、映像出力装置の本来持っているダイナミックレンジを活かすことができなくなってしまう。  
【０００６】
本開示は、このような状況に鑑みてなされたものであり、出力画像信号のダイナミックレンジを適切に変換することができるものである。
【課題を解決するための手段】
【０００７】
本技術の一側面の信号処理装置は、接続された出力デバイスから、前記出力デバイスに関する情報である出力デバイス情報を取得する情報取得部と、前記情報取得部により取得された出力デバイス情報に基づいて、前記出力デバイスの出力用途を判別する出力用途判別部と、前記出力用途判別部により判別された出力用途が表示以外の場合、前記出力デバイスに出力する画像信号の変換を禁止する変換部と、前記出力デバイスに画像信号を送信する送信部とを備える。
【０００８】
本技術の一側面の信号処理方法は、信号処理装置が、接続された出力デバイスから、前記出力デバイスに関する情報である出力デバイス情報を取得し、取得された出力デバイス情報に基づいて、前記出力デバイスの出力用途を判別し、判別された出力用途が表示以外の場合、前記出力デバイスに出力する画像信号の変換を禁止し、前記出力デバイスに画像信号を送信する。
【０００９】
本技術の一側面のプログラムは、接続された出力デバイスに関する情報である出力デバイス情報に基づき判別される出力用途が表示以外の場合、前記出力デバイスに出力する画像信号の変換を禁止する変換部と、前記出力デバイスに画像信号を送信する送信部として、コンピュータを機能させる。
【００１０】
本技術の一側面においては、接続された出力デバイスに関する情報である出力デバイス情報に基づき判別された出力用途が表示以外の場合、前記出力デバイスに出力する画像信号の変換が禁止され、前記出力デバイスに信号が送信される。
【発明の効果】
【００１１】
本技術によれば、出力画像信号のダイナミックレンジを変換することができる。特に、本技術によれば、出力画像信号のダイナミックレンジを適切に変換することができる。
【００１２】
なお、本明細書に記載された効果は、あくまで例示であり、本技術の効果は、本明細書に記載された効果に限定されるものではなく、付加的な効果があってもよい。
【図面の簡単な説明】
【００１３】
【図１】本技術を適用する信号出力システムの構成例を示すブロック図である。
【図２】撮像装置の構成例を示すブロック図である。
【図３】本技術の概要について説明する図である。
【図４】表示装置である場合の出力デバイスの構成例を示すブロック図である。
【図５】ダイナミックレンジ変換部の構成例を示すブロック図である。
【図６】撮像装置の信号出力処理について説明するフローチャートである。
【図７】画像信号の変換の他の例を説明する図である。
【図８】画像信号の変換の他の例を説明する図である。
【図９】本技術を適用するコンピュータの構成例を示すブロック図である。
【発明を実施するための形態】
【００１４】
以下、本開示を実施するための形態（以下実施の形態とする）について説明する。
【００１５】
＜システムの構成例＞
図１は、本技術を適用する信号出力システムの構成例を示す図である。
【００１６】
図１の例において、信号出力システム１は、信号処理装置としての撮像装置１１、および出力デバイス１２により構成されている。この信号出力システム１において、撮像装置１１は、被写体を撮像し、撮像した画像信号を、出力デバイス１２の能力および種別（出力用途）に応じて、ダイナミックレンジ変換処理するように制御する。
【００１７】
撮像装置１１においては、出力デバイス１２との接続には、例えば、HDMI(登録商標)が用いられ、出力デバイス１２の出力用途の判定には、出力デバイス情報として、EDIDまたはDEA/EIA-861情報が用いられる。例えば、EDIDから得られた出力デバイス情報のうち、出力デバイス１２のメーカ（名またはナンバ）、モデルネーム、およびシリアルナンバの少なくとも１つが用いられる。
【００１８】
出力デバイス１２は、表示装置（HDR信号対応ディスプレイまたはHDR信号非対応ディスプレイ）、記録装置（レコーダ）、ポータブル記録装置、測定器などから構成される。
【００１９】
＜撮像装置の構成例＞
図２は、撮像装置の構成例を示すブロック図である。
【００２０】
図２の例において、撮像装置１１は、光学系２１、イメージャ２２、デジタル信号処理LSI２３、ユーザインタフェース２４、カメラ制御部２５、レンズ駆動用ドライバIC２６を含むように構成されている。
【００２１】
光学系２１は、レンズなどで構成される。イメージャ２２は、CMOS固体撮像素子などで構成される。イメージャ２２は、カメラ制御部２５からの制御のもと、光学系２１を介して入力される被写体を結像することで、画像信号を取得し、取得した画像信号を、デジタル信号処理LSI２３に出力する。
【００２２】
デジタル信号処理LSI２３は、カメラ制御部２５による制御のもと、イメージャ２２からの画像信号に対して、所定のデジタル信号処理と、撮像装置１１に装着された出力デバイス１２に応じてダイナミックレンジ変換処理を行い、処理後の映像信号を出力デバイス１２に送信する。
【００２３】
デジタル信号処理LSI２３は、プリ処理部３１、デモザイク部３２、YC生成部３３、解像度変換部３４、メモリ３５、および信号処理部３６を含むように構成されている。
【００２４】
プリ処理部３１は、イメージャ２２からの画像信号に対して、ホワイトバランス調整やガンマ補正などの処理を行い、処理後の画像信号を、デモザイク部３２に出力する。デモザイク部３２は、色分布形状を統計的に算出することにより、ガンマ補正がなされたモザイク画像の各画素位置にＲ，Ｇ，Ｂの全ての強度（強度情報）を揃えるデモザイク処理を実行する。したがって、デモザイク部３２からの出力信号は、R,G,Bの３つの色に対応する３つの画像信号となる。また、ここでのガンマ補正の処理においては、SDR信号を作る場合と、HDR信号を作る場合とで、それぞれの光電変換特性に合わせた補正が行われる（SDR信号用の特性や、HDR信号用の特性が規格にて規定されている）。
【００２５】
YC生成部３３は、デモザイク部３２からのR,G,Bの画像信号から、輝度信号および色差信号を生成し、生成した輝度信号および色差信号（以下、まとめて映像信号と称する）を、解像度変換部３４に出力する。解像度変換部３４は、適切な解像度に変換し、変換した映像信号を、メモリ３５または信号処理部３６に出力する。
【００２６】
メモリ３５は、一時的に映像信号を保存する。
【００２７】
信号処理部３６は、ダイナミックレンジ変換部４１およびHDMIインタフェース４２により構成されている。ダイナミックレンジ変換部４１は、解像度変換部３４またはメモリ３５からの映像信号に対して、カメラ制御部２５の制御のもと、出力デバイス１２に応じてダイナミックレンジ変換処理を行い、映像信号をHDMIインタフェース４２に出力する。HDMIインタフェース４２は、ダイナミックレンジ変換部４１からの映像信号を、出力デバイス１２に出力する。HDMIインタフェース４２は、出力デバイス１２が接続されると、それを検出し、検出したことをカメラ制御部２５に通知する。HDMIインタフェース４２は、カメラ制御部２５からの制御のもと、出力デバイス１２から出力デバイス情報を取得し、取得した出力デバイス情報を、カメラ制御部２５に供給する。
【００２８】
ユーザインタフェース２４は、モード設定などユーザの操作に基づく操作信号を受けて、カメラ制御部２５に出力する。カメラ制御部２５は、撮像装置１１の各部（イメージャ２２、デジタル信号処理LSI２３、ユーザインタフェース２４、およびレンズ駆動用ドライバIC２６）を制御する。また、カメラ制御部２５は、特に、機能ブロックとして、情報取得部５１および機器種別判定部５２を含むように構成されている。
【００２９】
情報取得部５１は、HDMIインタフェース４２からの出力デバイス１２の検出の通知を受け取ると、出力デバイス１２から出力デバイス情報（例えば、EDIDまたはDEA/EIA-861情報）を取得するようにHDMIインタフェース４２を制御する。機器種別判定部５２は、HDMIインタフェース４２からの出力デバイス情報に基づいて、接続されている出力デバイス１２の種別（出力用途）、能力（HDR信号対応可能であることを示す情報）などを判定し、判定結果に基づいて、ダイナミックレンジ変換部４１を制御する。
【００３０】
レンズ駆動用ドライバIC２６は、カメラ制御部２５の制御のもと、光学系２１を駆動させる。
【００３１】
ここで、撮像装置１１からの信号の出力先の出力デバイス１２として、ディスプレイ以外の装置が接続される場合があるが、ディスプレイ以外の装置に出力する場合にダイナミックレンジの変換処理をしてしまうと、出力デバイスの本来持っているダイナミックレンジを活かすことができなくなってしまう。
【００３２】
なお、それは、例えば、ポータブルレコーダなどに出力する場合や信号を解析するための測定器に出力する場合などに起こりやすい。こういった機器に出力する場合には、機器の表示能力にかかわらず、ダイナミックレンジの変換処理を行わないことが望ましい。
【００３３】
＜概要説明＞
そこで、図１の信号出力システム１においては、出力デバイス１２に応じて、信号の変換処理（例えば、ダイナミックレンジに関する変換処理）が行われる。この技術の概要について、図３を参照して説明する。
【００３４】
図３の例においては、撮像装置１１に、撮像装置１１に接続される出力デバイス１２として、HDR信号対応ディスプレイ１２Ａ、HDR信号非対応ディスプレイ１２Ｂ、記録装置１２Ｃの例が示されている。
【００３５】
撮像装置１１に、HDR信号対応ディスプレイ１２Ａが接続される場合、すなわち、出力デバイス１２がHDR信号に対応しており、かつ、出力しようとしている信号がHDR信号の場合には、標準規格に沿った手順でHDR信号として出力が行われる。例えば、HDMI2.0ａ規格に従う場合には、フレームの画像信号の送出に先立って、規格で定められた制御信号（制御フレーム）であるHDR InfoFrameが送出される。なお、記録装置１２Ｃが、HDR信号に対応している場合も同様である。
【００３６】
一方、撮像装置１１に、HDR信号非対応の出力デバイス１２が接続される場合、すなわち、出力デバイス１２がHDR信号に対応していない場合（SDR信号に対応している場合）、出力の目的（すなわち、出力用途）に応じて、適切な映像信号が送出される。
【００３７】
例えば、出力用途が表示の場合、すなわち、HDR信号非対応ディスプレイ１２Ｂが接続される場合、HDR信号をそのままHDR信号非対応ディスプレイ１２Ｂにて出力しようとすると、一般的に画像が暗く表示されてしまう。
【００３８】
そこで、ダイナミックレンジ変換部４１は、HDR信号からSDR信号に変換して、映像信号を送出する。このときの変換としては、HDR信号のRGBデータにそれぞれEOTFを適用し、さらに、マトリクス演算でRGB種別を変換し、ダイナミックレンジの変換を行い、そこにさらに、SDR規格のOETFを適用することで得られたSDR映像信号を送出する処理となる。または、もっと簡易的に、図５を参照して後述するが、HDR映像信号を固定の調整ゲインで明るく補正し、SDR信号として送出するようにしてもよい。
【００３９】
一方で、出力用途が表示以外の場合、例えば、記録装置１２Ｃなどの場合には、上述した変換処理をすると映像の明るい部分の情報が失われたり、飽和などにより映像信号が歪んだり、変換に伴う再量子化で信号精度が低下してしまうため、好ましくない。そこで、HDR出力の用途が表示ではない場合、HDR信号からSDR信号への変換処理を行わないで送出するようにする。この場合には、送出する信号が、受信側でSDR信号であると解釈するように送出する。そのためには、規格に定められたHDR出力の手順は行わないようにする。例えば、HDR InfoFrameの送出を行わずに、画像信号が送られる。
【００４０】
出力用途の判定には、例えば、出力デバイスの種別による判定がなされる。出力デバイス情報、例えば、EDID情報から、出力デバイスのモデル名が取得され、そのモデル名が記録装置として知られるものであれば、表示用途以外と考えることができる。
【００４１】
＜出力デバイスの構成例＞
図４は、表示装置である場合の出力デバイスの構成例を示すブロック図である。
【００４２】
ディスプレイである場合の出力デバイス（例えば、HDR信号対応ディスプレイまたはHDR信号非対応ディスプレイ：以下、まとめて、ディスプレイと称する）１２Ａまたは１２Ｂは、インタフェース６１、CPU６２、メモリ６３、表示部６４を含むように構成されている。
【００４３】
インタフェース６１は、HDMIインタフェース４２と通信を行い、情報やデータの送受信を行う。例えば、インタフェース６１は、受け取ったデータを、表示部６４に出力する。インタフェース６１は、受け取った情報をCPU６２に供給し、CPU６２からの情報をHDMIインタフェース４２に送信する。
【００４４】
CPU６２は、図示せぬ操作部を介してのユーザの操作信号やメモリ６３に展開されたプログラム、外部からインタフェース６１を介して受け取った情報（要求など）に従って、ディスプレイ１２Ａまたは１２Ｂの各部を制御する。例えば、CPU６２は、HDMIインタフェース４２から出力デバイス情報を受けると、メモリ６３から出力デバイス情報を読み出して、インタフェース６１を介して、HDMIインタフェース４２に出力する。
【００４５】
メモリ６３は、必要な情報やプログラムを記録している。表示部６４は、インタフェース６１からのデータに対応する画像を表示する。
【００４６】
＜ダイナミックレンジ変換部の構成例＞
図５は、入力画像信号としてRGB信号を想定した場合のダイナミックレンジ変換部の構成例を示すブロック図である。なお、図５のダイナミックレンジ変換部は、一例であり、上述したように、様々な方法があげられる。
【００４７】
ダイナミックレンジ変換部４１は、ゲイン処理部７１およびリミッタ処理部７２により構成されている。ゲイン処理部７１は、入力画像信号に対して調整ゲインを乗算することで、ゲイン処理を行う。ゲイン処理が行われた信号をリミッタ処理部７２に出力する。
【００４８】
調整ゲインは、カメラ制御部２５から指示される、変換するか否かを示す制御信号に応じて設定される。具体的には、変換不要時には、調整ゲインが1.0に設定されて、ゲイン処理が行われる。すなわち、入力された信号、そのままでリミッタ処理部７２に出力される。一方、例えばHLG信号(Hybrid Log-Gamma形式のHDR信号)からSDR信号への変換時については、調整ゲインが2.0に設定されて、ゲイン処理が行われる。ゲイン処理が行われた信号は、リミッタ処理部７２に出力される。
【００４９】
リミッタ処理部７２は、ゲイン処理部７１によりオーバーフローが起こった場合、そのオーバーフローに対して、リミッタをかける処理を行う。リミッタ処理が行われた信号は、出力信号として、HDMIインタフェース４２に出力される。
【００５０】
＜撮像装置の動作＞
次に、図６のフローチャートを参照して、撮像装置１１の信号出力処理について説明する。
【００５１】
例えば、ユーザが図示せぬHDMIケーブルを用いて、撮像装置１１と出力デバイス１２とを接続する。ステップＳ１１において、HDMIインタフェース４２は、出力デバイス１２が接続されると、それを検出し、検出したことをカメラ制御部２５の情報取得部５１に通知する。
【００５２】
ステップＳ１２において、情報取得部５１は、HDMIインタフェース４２を制御し、出力デバイス１２から出力デバイス情報を取得し、取得した出力デバイス情報を、カメラ制御部２５の機器種別判定部５２に供給する。例えば、出力デバイス１２がHDR信号対応ディスプレイ１２Ａである場合、HDR信号対応ディスプレイ１２Ａにおいては、インタフェース６１がHDMIインタフェース４２からの出力デバイス情報の要求を受け、その要求に対して、CPU６２は、メモリ６３から出力デバイス情報を読み出して、読み出した出力デバイス情報を、インタフェース６1を介して送信してくる。
【００５３】
ステップＳ１３において、機器種別判定部５２は、出力デバイス情報を参照して、出力デバイス１２がディプレイであるか否かを判定する。ステップＳ１３において、出力デバイス１２がディスプレイであると判定された場合、処理は、ステップＳ１４に進む。ステップＳ１４において、機器種別判定部５２は、出力デバイス情報を参照して、出力デバイス１２がHDR信号に対応しているか否かを判定する。ステップＳ１４において、HDR信号に対応していないと判定された場合、処理は、ステップＳ１５に進む。
【００５４】
ステップＳ１５において、ダイナミックレンジ変換部４１は、解像度変換部３４またはメモリ３５からの映像信号に対して、カメラ制御部２５からの制御のもと、出力デバイス１２に応じてダイナミックレンジ変換処理を行う。ダイナミックレンジ変換部４１は、変換された映像信号をHDMIインタフェース４２に出力する。
【００５５】
HDMIインタフェース４２は、ステップＳ１６において、ダイナミックレンジ変換部４１からの映像信号を、出力デバイス１２に出力する。
【００５６】
ステップＳ１４において、HDR信号に対応していると判定された場合、処理は、ステップＳ１８に進む。
【００５７】
また、ステップＳ１３において、出力デバイス１２がディスプレイではないと判定された場合、処理は、ステップＳ１７に進む。
【００５８】
ステップＳ１７において、機器種別判定部５２は、出力デバイス情報を参照して、出力デバイス１２がHDR信号に対応しているか否かを判定する。ステップＳ１７において、HDR信号に対応していると判定された場合、処理は、ステップＳ１８に進む。
【００５９】
ステップＳ１８において、カメラ制御部２５は、HDMIインタフェース４２に、HDR InfoFrameを送出させる。このとき、ダイナミックレンジ変換部４１は、解像度変換部３４またはメモリ３５からの映像信号に対して、カメラ制御部２５からの制御のもと、ダイナミックレンジ変換処理を行なわず、映像信号をHDMIインタフェース４２に出力する。
【００６０】
HDMIインタフェース４２は、ステップＳ１９において、ダイナミックレンジ変換部４１からの映像信号を、出力デバイス１２に出力する。
【００６１】
ステップＳ１７において、HDR信号に対応していないと判定された場合、処理は、ステップＳ２０に進む。HDR信号に対応していないので、HDR InfoFrameは送出されない。このとき、ダイナミックレンジ変換部４１は、解像度変換部３４またはメモリ３５からの映像信号に対して、カメラ制御部２５からの制御のもと、ダイナミックレンジ変換処理を行なわず、映像信号をHDMIインタフェース４２に出力する。
【００６２】
HDMIインタフェース４２は、ステップＳ２０において、ダイナミックレンジ変換部４１からの映像信号を、出力デバイス１２に出力する。
【００６３】
なお、撮像装置１１においては、再生動作中は出力用途を表示とし、録画動作中は出力用途を非表示とすることもできる。
【００６４】
また、接続された機器がレコーダーか、出力用途がわからない場合には、ユーザに機器の目的を指定してもらうようにしてもよい。
【００６５】
以上のように、表示デバイスに応じて、ダイナミックレンジ変換処理を行うようにしたので、ダイナミック変換について、適切な対応を行うことができる。
【００６６】
なお、上記説明においては、インタフェースに、HDMIが用いられる例を説明したが、その他に、SDI接続，ネットワーク伝送（DLNAI(登録商標)），WiDi，Displayport, Miracast、無線接続などにも、本技術を適用することができる。
【００６７】
また、上記説明においては、HDR信号のSDR信号への変換について説明してきたが、HDR信号の方式間の変換においても、本技術を適用することができる。具体的には、上記説明においては、HDR信号を、HDR信号に未対応のSDR信号対応のディスプレイに出力する際に、ダイナミックレンジを圧縮（明るく調整）する例について説明してきたが、以下の場合にも本技術を適用することができる。
【００６８】
すなわち、SDR信号を、HDR信号対応ディスプレイに出力する際に、ダイナミックレンジを伸長する場合にも、本技術を適用することができる。また、HDR（HLG）信号を、HDR(PQカーブ)信号対応ディスプレイに出力する際に、トーンマッピングを行う場合にも、本技術を適用することができる。さらに、Log特性の画像信号をテレビジョン装置に出力する際のトーンマッピングを行う場合にも、本技術を適用することができる。
【００６９】
＜画像信号の変換の他の例＞
図７および図８は、本技術を適用する画像信号の変換の他の例について説明する図である。まず、図７の例においては、出力先装置（例えば、出力デバイス）が対応していない信号を、対応できる信号に変換するケースとして、Log特性の画像信号を出力する場合と、信号種別（HLG→PQカーブ）の変換をする場合が記載されている。
【００７０】
Log特性の画像信号を出力する場合において、出力先装置が対応していないとき、表示用途としては、画像信号を変換して送信し（Log特性を表す制御信号は送信されず）、その他用途としては、画像信号を変換せずに送信する（Log特性を表す制御信号は送信されない）。これに対して、出力先装置が対応しているとき、画像信号を変換せずに送信する（Log特性を表す制御信号を送信する）。
【００７１】
また、信号種別（HLG→PQカーブ）の変換をする場合において、出力先装置が対応していないとき、表示用途としては、画像信号を変換して送信し(PQ特性を表す制御信号を送信し）、その他の用途としては、画像信号を変換せずに送信する（HLG特性を表す制御信号を送信する）。これに対して、出力先装置が対応しているとき、画像信号を変換せずに送信する（Log特性を表す制御信号を送信する）。
【００７２】
さらに、図８の例においては、ソースとなる信号に比べて、出力先装置の受けられる信号の種類が多いケースとして、ダイナミックレンジを伸長する場合が記載されている。
【００７３】
ダイナミックレンジを伸長する場合において、信号を出力する出力装置（例えば、撮像装置１１）内部の信号がSDR信号の場合、表示用途としては、画像信号を変換して送信し（制御信号でHDR信号であることを送信し）、その他の用途としては、画像信号を変換せずに送信する（HDR信号を表す制御信号は送信しない）。これに対して、出力装置内部の信号がHDR信号の場合、画像信号を変換せずに送信する（制御信号はHDR信号であることを送信する）。
【００７４】
なお、上記説明においては、撮像装置からの出力処理を説明したが、出力処理を行う装置は、撮像装置に限定されず、例えば、記録装置でも、コンピュータでも、信号を出力する処理を行う装置であれば何でもよい。また、出力デバイスとしては、ディスプレイ、記録装置に限らず、測定装置、アナライザ、編集装置、または変換器などで構成することも可能である。
【００７５】
以上のように、本技術においては、出力デバイスに応じて、変換処理を行うか行わないかを判定するようにした。しがたがって、本技術によれば、出力用途が記録の時に、出力信号のダイナミックレンジが適切に変換されるようになり、ユーザにとっての利便性を増すことができる。
【００７６】
また、外部の記録装置での記録時に、意図通りの品質でストリームが保存されるようになる。
【００７７】
さらに、HDR表示に対応していない記録装置でも、HDR信号の記録が可能になる。
【００７８】
また、用途に応じて、自動でダイナミックレンジ変換がなされるようになり、ユーザの利便性を増大させることができる。
【００７９】
さらに、記録の為に記録装置に接続した場合に、出力デバイスが、出力用途が鑑賞の信号を送出してしまうことで、意図せずに記録信号の品質が低下してしまうことを防ぐことができる。
【００８０】
また、鑑賞の為に テレビジョン装置に接続した場合に、信号処理装置が、出力用途が記録の信号を送出してしまうことで、意図せず暗く表示されてしまうことを防ぐことができる。
【００８１】
なお、本技術は、ハードウエアだけに限らず、ソフトウエアにより実現することができる。
【００８２】
＜コンピュータの構成例＞
図９は、本技術を適用するコンピュータのハードウエアの構成例を示すブロック図である。
【００８３】
コンピュータ５００において、CPU５０１、ROM（Read Only Memory）５０２、RAM（Random Access Memory）５０３は、バス５０４により相互に接続されている。
【００８４】
バス５０４には、さらに、入出力インタフェース５０５が接続されている。入出力インタフェース５０５には、入力部５０６、出力部５０７、記憶部５０８、通信部５０９、及びドライブ５１０が接続されている。
【００８５】
入力部５０６は、キーボード、マウス、マイクロホンなどよりなる。出力部５０７は、ディスプレイ、スピーカなどよりなる。記憶部５０８は、ハードディスクや不揮発性のメモリなどよりなる。通信部５０９は、ネットワークインタフェースなどよりなる。ドライブ５１０は、磁気ディスク、光ディスク、光磁気ディスク、又は半導体メモリなどのリムーバブルメディア５１１を駆動する。
【００８６】
以上のように構成されるコンピュータ５００では、CPU５０１が、例えば、記憶部５０８に記憶されているプログラムを、入出力インタフェース５０５及びバス５０４を介して、RAM５０３にロードして実行する。これにより、上述した一連の処理が行われる。
【００８７】
コンピュータ（CPU５０１）が実行するプログラムは、リムーバブルメディア５１１に記録して提供することができる。リムーバブルメディア５１１は、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディア等である。また、あるいは、プログラムは、ローカルエリアネットワーク、インターネット、デジタル衛星放送といった、有線または無線の伝送媒体を介して提供することができる。
【００８８】
コンピュータにおいて、プログラムは、リムーバブル記録媒体５１１をドライブ５１０に装着することにより、入出力インタフェース５０５を介して、記憶部５０８にインストールすることができる。また、プログラムは、有線または無線の伝送媒体を介して、通信部５０９で受信し、記憶部５０８にインストールすることができる。その他、プログラムは、ROM５０２や記憶部５０８に、あらかじめインストールしておくことができる。
【００８９】
なお、コンピュータが実行するプログラムは、本明細書で説明する順序に沿って時系列に処理が行われるプログラムであっても良いし、並列に、あるいは呼び出しが行われたとき等の必要な段階で処理が行われるプログラムであっても良い。
【００９０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００９１】
また、本明細書において、システムとは、複数のデバイス（装置）により構成される装置全体を表すものである。
【００９２】
例えば、本開示は、１つの機能を、ネットワークを介して複数の装置で分担、共同して処理するクラウドコンピューティングの構成をとることができる。
【００９３】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【００９４】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９５】
なお、本技術は以下のような構成も取ることができる。
（１）  接続された出力デバイスに関する情報である出力デバイス情報に基づく、前記出力デバイスの出力用途が表示以外の場合、前記出力デバイスに出力する信号の変換を禁止する変換部と、
前記出力デバイスに信号を送信する送信部と
を備える信号処理装置。
（２）  前記出力デバイス情報に基づき判別される出力用途が表示の場合、
前記変換部は、前記出力デバイスの能力に応じて、前記信号の変換を行う
前記（１）に記載の信号処理装置。
（３）  前記出力デバイス情報は、前記出力デバイスのメーカ、モデルネーム、およびシリアルナンバの少なくとも１つである
前記（１）または（２）に記載の信号処理装置。
（４）  前記出力デバイスに出力する信号がHDR信号の場合、前記出力デバイスの能力がHDR信号に対応するとき、前記送信部は、規格に定められたフレームを送ってから、前記信号を送信する
前記（１）乃至（３）のいずれかに記載の信号処理装置。
（５）  前記規格に定められたフレームは、InfoFrameである
前記（４）に記載の信号処理装置。
（６）  前記出力デバイスに出力する信号がHDR信号の場合、前記出力デバイスの能力がSDR信号に対応するとき、前記送信部は、前記規格に定められたフレームを送らずに、前記信号を送信する
前記（４）に記載の信号処理装置。
（７）  前記信号処理装置が撮像装置である場合、再生中のとき、前記出力デバイス情報に基づき判別される出力用途は表示とされ、録画中のとき、前記出力デバイス情報に基づき判別される出力用途は表示以外とされる
前記（１）乃至（６）のいずれかに記載の信号処理装置。
（８）  前記変換部は、HDR信号をSDR信号に変換する
前記（１）乃至（７）のいずれかに記載の信号処理装置。
（９）  前記変換部は、SDR信号をHDR信号に変換する
前記（１）乃至（７）のいずれかに記載の信号処理装置。
（１０）  前記変換部は、HLG（Hybrid Log-Gamma）信号をPQ信号に変換する
前記（１）乃至（７）のいずれかに記載の信号処理装置。
（１１）  前記出力デバイスとの接続は、HDMIが用いられる
前記（１）乃至（１０）のいずれかに記載の信号処理装置。
（１２）  前記出力デバイスとの接続は、SDIが用いられる
前記（１）乃至（１０）のいずれかに記載の信号処理装置。
（１３）  前記出力デバイスとの接続は、DLNAが用いられる
前記（１）乃至（１０）のいずれかに記載の信号処理装置。
（１４）  前記出力デバイスとの接続は、無線接続が用いられる
前記（１）乃至（１０）のいずれかに記載の信号処理装置。
（１５）  前記出力デバイスは、ディスプレイである
前記（１）乃至（１４）のいずれかに記載の信号処理装置。
（１６）  前記出力デバイスは、記録装置である
前記（１）乃至（１４）のいずれかに記載の信号処理装置。
（１７）  前記出力デバイスは、測定装置である
前記（１）乃至（１４）のいずれかに記載の信号処理装置。
（１８）  信号処理装置が、
接続された出力デバイスに関する情報である出力デバイス情報に基づき判別される出力用途が表示以外の場合、前記出力デバイスに出力する画像信号の変換を禁止し、
前記出力デバイスに信号を送信する
信号処理方法。
（１９）  接続された出力デバイスに関する情報である出力デバイス情報に基づき判別される出力用途が表示以外の場合、前記出力デバイスに出力する画像信号の変換を禁止する変換部と、
前記出力デバイスに信号を送信する送信部と
して、コンピュータを機能させるプログラム。
【符号の説明】
【００９６】
１  信号出力システム，  １１  撮像装置，  １２  出力デバイス，１２Ａ  HDR信号対応ディスプレイ，  １２Ｂ  HDR信号非対応ディスプレイ，  １２Ｃ  記録装置，  ２１  光学系，  ２２  イメージャ，  ２３  デジタル信号処理LSI，  ２４  ユーザインタフェース，  ２５  カメラ制御部，  ２６  レンズ駆動用ドライバIC，  ３１  プリ処理部，  ３２  デモザイク部，  ３３  YC生成部，  ３４  解像度変換部，  ３５  メモリ，  ３６  信号処理部，  ４１  ダイナミックレンジ変換部，  ４２  HDMIインタフェース，  ５１  情報取得部，  ５２  機器種別判定部，  ６１  インタフェース，  ６２  CPU，  ６３  メモリ，  ６４  表示部，  ７１  ゲイン処理部，  ７２  リミッタ処理部
【図１】
2018074226.tif 000003
【図２】
2018074226.tif 000004
【図３】
2018074226.tif 000005
【図４】
2018074226.tif 000006
【図５】
2018074226.tif 000007
【図６】
2018074226.tif 000008
【図７】
2018074226.tif 000009
【図８】
2018074226.tif 000010
【図９】
2018074226.tif 000011